(57)【要約】【課題】負傷者救出や搬送が必要とされる場所は平地ばかりではなく、階段や足場の悪い岩場などの傾斜地、あるいは川の中などあらゆる場面が想定される。そんな種々の場面に対応できる軽量で取り扱いが簡単、機動性が高い担架を提供する。【解決手段】２本の支持棒両端部付近の４点と２本の連結棒の両端部とを方形を形成するように連結し、方形内の両支持棒間に臀部保持用の窪みを有し中央部にシートベルトを取り付けた搬送シートを装着し、支持棒の被搬送者の頭部側先端部を下方に２回折り曲げて三角形を形成し、足部側先端部を上方に屈曲させた平地傾斜地両用担架である。【選択図】図１
2009101101.tif 000002
【特許請求の範囲】
【請求項１】
２本の支持棒両端部付近の４点と２本の連結棒の両端部とを方形を形成するように連結し、方形内の両支持棒間に臀部保持用の窪みを有し中央部にシートベルトを取り付けた搬送シートを装着し、支持棒の被搬送者の頭部側先端部を下方に２回折り曲げて三角形を形成し、足部側先端部を上方に屈曲させたことを特徴とする平地傾斜地両用担架。
【請求項２】
２本の支持棒間の間隔を調節することができる連結棒を装着したことを特徴とする請求項１記載の平地傾斜地両用担架。
【発明の詳細な説明】
【技術分野】
【０００１】  本発明は、負傷者、病人、体の不自由な人などを搬送する担架に関するものである。
【背景技術】
【０００２】  負傷者や病人などを搬送する担架は、交通事故や地震、火災等の災害現場あるいは病院などで幅広く使用されている。担架を使用する場所は平地ばかりとは限らず、高所から低所への搬送、逆に低所から高所への搬送、水中から陸地への搬送などが考えられ、使う場所や目的によりいろいろな種類の担架が望まれている。これまで考案された担架のうち類似点を有するものを見てみると、被搬送者の乗るシート部を座席形状とし、リング状取っ手部の内周に沿って波状凹凸部を形成し手指がいずれの部位をもつかめるようにした担架（特許文献１参照）や、平坦な搬送シート部の下部に車輪および帯状キャタピラー付きの着脱可能な台車を装着し階段昇降時をも考慮したもの（特許文献２参照）などがある。
【特許文献１】特開２００２−０１１０４９号公報
【特許文献２】特開２００５−２６１８０１号公報
【０００３】
【発明の開示】
【発明が解決しようとする課題】
【０００４】  担架を使用しなければならない場合は平地での使用が一般的であり、通常私たちが目にする通常の担架で十分対応できるが、高層ビルや山地あるいはごつごつした岩場などで事故が発生した場合には、足場が定まらず担架を保持する手元が不安定になって搬送に困難をきたすなど、通常の平地用担架では搬送しにくい場合が多い。また被搬送者にとっては、通常の担架ではシートから滑り落ちたり転げ落ちる危険もあり不都合な点が多い。そこで、そのような不安定、不安全な場所で安全に使用できる担架が必要とされる。
【課題を解決するための手段】
【０００５】  上記の課題を解決するために請求項１に記載の発明は、２本の支持棒両端部付近の４点と２本の連結棒の両端部とを方形を形成するように連結し、方形内の両支持棒間に臀部保持用の窪みを有し中央部にシートベルトを取り付けた搬送シートを装着し、支持棒の被搬送者の頭部側先端部を下方に２回折り曲げて三角形を形成し、足部側先端部を上方に屈曲させたことを特徴とする平地傾斜地両用担架である。【０００６】  ２本の支持棒の被搬送者頭部近くに連結棒を１本渡して取り付け、さらに足部付近にも同様に１本の連結棒を渡して取り付けることにより、２本の支持棒と２本の連結棒および搬送用シートが長方形の搬送用ベッドを形成する。支持棒の材質は、軽量かつ丈夫なアルミ製のパイプや炭素繊維含有樹脂パイプなどを使用するのが望ましい。【０００７】  搬送シートは両支持棒間に張り渡す。シートの支持棒への取り付け方は、シート両端を筒状にしてその中に支持棒を差し込んでもよいし、支持棒に沿ってシートを巻き付け複数の留め具で固定してもよい。平地での担架使用はこのままでも問題はないが、傾斜地で使用する場合は、被搬送者の重量が搬送シートにかかってシートが足部側にずり落ちるおそれがある。これを防止するため、頭部側支持棒にシート引止具を取り付け搬送シートに連結しておく。【０００８】  搬送シートから被搬送者が横に転げ落ちる事故を防止するため、シートにシートベルトや被搬送者を包む網などを取り付けておけば、転落事故防止に効果的である。【０００９】  被搬送者が前方へ滑り落ちるのを防止するため、臀部が乗る部分のシートを袋状にへこませ、臀部を支えるための臀部保持用窪みを形成する。これにより、被搬送者は搬送シート上でずり落ちるのを心配して手足でふんばる必要がなく、前記シートベルトと相まって体力が十分でなかったり意識がはっきりしない人をも安全に搬送することができる。【００１０】  担架の搬送シートには帆布等の丈夫かつ耐気候性を有する素材を用いるのが望ましい。必要に応じて補強用の帯を交錯させるなどしてシートに縫い付ければなおよい。また、水中での救助を想定して多数の小孔のあいたシートを用いるとか、網状のシートを用いれば担架の利用範囲が広がる。【００１１】  担架の取っ手は、被搬送者の頭部側と足部側とでは形状を異にする。頭部側の取っ手は支持棒を連結棒の先２０〜３０ｃｍ延長したところで後方下方に折り曲げ、手で握れるほどの余裕を置いてさらに前方斜め上方に折り曲げ、端部を支持棒に固着して三角形を形成する。【００１２】  足部側の取っ手は、支持棒を連結棒の先２０〜３０ｃｍ延長したところで前方斜め上方にくの字形に曲げる。支持棒先端は切り口に手が触れても怪我をしないように、栓をするなり角を取って丸みを持たせるなどの細工が必要である。【００１３】  本願発明の担架は、端的にいえば２本の支持棒間に搬送シートを張り取っ手の形状に工夫をこらしただけの軽量化をはかった担架であり、被搬送者を搬送する際の搬送者の労力軽減となる車輪やキャタピラーの類の付属装備は有していない。これは有事の場合の担架持ち出しを迅速にし、災害現場への直行の便宜と足場の悪い傾斜地での使用を第一に考慮した結果である。【００１４】  請求項���に記載の発明は、２本の支持棒間の間隔を調節することができる連結棒を装着したことを特徴とする請求項１記載の平地傾斜地両用担架である。【００１５】  担架の２本の支持棒をつなぐ連結棒は、被搬送者が横たわるシートを広げて保つ役目を持つものでそれ相応の強度が必要であるが、一方、担架不使用時には連結棒を二つ折りにできる関節を中間に設けたり、直径の異なる２本のパイプ材を滑り込ませて長さを調節できるようにすれば担架保管時に便利であるし、連結棒の長さを調節して搬送シートをぴんと張ったりゆるめたりすることにより、被搬送者の体形や怪我の状況に合わせてより安全に搬送することも可能となる。
【発明の効果】
【００１６】  本願発明の平地傾斜地両用担架は以上述べたような構成からなり、次に示す効果が期待できる。【００１７】  階段など傾斜地を下ったり上ったりする場合、特に頭部側の取っ手は三角形を形成しているため、手が滑り取っ手を離して被搬送者を落としたりすることが起こりにくい。さらに、急傾斜地を下ったり上ったりする場合に、三角形部分にロープなどを結びつけて後方からあるいは前方で補助者が引っ張ることにより、担架を保持する搬送者２名の負担を軽減してさらに安全に搬送することができる。【００１８】  搬送シートの臀部保持用窪みのおかげで、被搬送者は傾斜地搬送時にも臀部がしっかりと所定の位置に保持され、さらにシートベルトで固定されるため滑り落ちる恐怖感を感じることが内。搬送者にとっても被搬送者を安全に搬送することができる。【００１９】  担架を構成する部品点数が少なく重量が軽いため、足場の悪い場所への担架搬送が容易かつ迅速にでき、被搬送者を搬送するにも融通がきく人間が担架の足となるため、足場の状況に合わせて対応できる強みがある。車輪等がついている担架であれば、ごつごつした岩場等での使用はかえって困難になる場合もある。
【発明を実施するための最良の形態】
【００２０】  以下、本願発明を実施するための最良の形態について、図を参照しながら説明する。【００２１】  図１は本願発明の斜視図、図２〜図４は本願発明を平地や傾斜地で使用する場合のイメージ図である。【００２２】  まず本願発明の担架を平地で使用する場合、図２で見るごとく被搬送者１４を搬送シート３上に通常は上向きに寝かせ、臀部を臀部保持用窪み４の中に没しさらにシートベルト９で腰部または腹部を固定する。平地の場合、支持棒１は水平状態を保つため、頭部側搬送者１１は支持棒１の延長上の頭部側平地用取っ手５を握り、足部側搬送者１２は支持棒１の足部側平地用取っ手６を握って搬送する。【００２３】  図３は階段などの傾斜地を下る場合のイメージ図である。被搬送者１４を搬送シート３上に寝かせた後、頭部側搬送者１１は支持棒１の頭部側傾斜地用取っ手７を握り、足部側搬送者１２は支持棒１先端の上方に曲がった足部側傾斜地用取っ手８を握って搬送する。搬送の安全性を向上するため、２名の搬送者のほかに補助者１３をつける場合には最後尾につけ、頭部側取っ手の三角形部分に縛った綱を後方から引っ張り前進する担架の勢いを抑制しながら進む。【００２４】  図４は傾斜地を上る場合のイメージ図である。頭部側搬送者１１、足部側搬送者１２、補助者１３の担架保持部位ならびに相互位置関係は傾斜地を下る場合と同じで、上りになった場合は三者とも同じ位置で回れ右をし取っ手を持ち替え進行方向を逆にして進む。したがって搬送中の被搬送者１４は傾斜地を下る場合も上る場合も、頭部側は常に足部側より上方に位置して搬送される。傾斜地を上る場合は、補助者１３は先頭に位置し、担架を引っ張り上げる手助けを行なうことになる。
【図面の簡単な説明】
【００２５】
【図１】  担架全体を示す斜視図である。
【図２】  平地で被搬送者を搬送する場合のイメージ図である。
【図３】  階段などの傾斜地を下る場合を示すイメージ図で、後方に補助者１名を伴う。
【図４】  階段などを上る場合の搬送状態を示すイメージ図で、前方に補助者１名を伴う。
【符号の説明】
【００２６】１・・・支持棒
２・・・連結棒
３・・・搬送シート
４・・・臀部保持用窪み
５・・・頭部側平地用取っ手
６・・・足部側平地用取っ手
７・・・頭部側傾斜地用取っ手
８・・・足部側傾斜地用取っ手
９・・・シートベルト
１０・・シート引止具
１１・・頭部側搬送者
１２・・足部側搬送者
１３・・補助者
１４・・被搬送者
【図１】
2009101101.tif 000003
【図２】
2009101101.tif 000004
【図３】
2009101101.tif 000005
【図４】
2009101101.tif 000006